(57)【特許請求の範囲】
【請求項１】
移動元液体容器から液体を吸い上げるための吸上管、吸い上げた液体を移動先液体容器に吐出するための吐出管、前記吸上管の出口に設ける吸上用逆止弁、前記吐出管の入口に設ける吐出用逆止弁、前記吸上管の出口と前記吐出管の入口を接続する圧力タンクからなる、サイフォンの原理を用いて移動元液体容器から移動先液体容器へ液体を移動させることのできるサイフォン式ポンプにおいて、連結することによって密閉した空間を形成する、前記圧力タンク内で膨張収縮する風船、復元力の弱いばねを内部に設けた液体の移動を停止するための停止用蛇腹容器、前記風船と前記停止用蛇腹容器を連結する管を備え、前記圧力タンクを手で押さえて前記圧力タンク内部に負圧を生じさせることによって、サイフォンの原理による液体の移動を開始させ、前記停止用蛇腹容器を足で踏み縮めて前記風船を膨張させて前記圧力タンク内部を加圧し、負圧を解消することによって、サイフォンの原理による液体の移動を停止させ、踏む力を弱めた後も、前記停止用蛇腹容器の復元力が小さいために前記圧力タンク内部にサイフォンの原理に必要な負圧を生じず、再び液体を吸い上げることができないようにしたことを特徴とするサイフォン式液体移動装置。
【請求項２】
移動元液体容器から液体を吸い上げるための吸上管、吸い上げた液体を移動先液体容器に吐出するための吐出管、前記吸上管の出口に設ける吸上用逆止弁、前記吐出管の入口に設ける吐出用逆止弁、前記吸上管の出口と前記吐出管の入口を接続する圧力タンクからなる、サイフォンの原理を用いて移動元液体容器から移動先液体容器へ液体を移動させることのできるサイフォン式ポンプにおいて、連結することによって密閉した空間を形成する、前記圧力タンク内で膨張収縮する風船、復元力の強いばねを内部に設けた液体の移動を開始するための開始用蛇腹容器、前記風船と前記開始用蛇腹容器を連結する管を備え、前記開始用蛇腹容器を足で踏み縮めて前記風船を膨張させることによって、前記圧力タンク内の空気を、前記吐出用逆止弁を通過して前記吐出管から排出し、前記開始用蛇腹容器を踏む力を弱めた後に前記開始用蛇腹容器内部のばねの復元力で前記開始用蛇腹容器の体積が復元するのに伴い前記風船を収縮させて前記圧力タンク内に負圧を生じさせることによって、サイフォンの原理による液体の移動を開始できるようにしたことを特徴とするサイフォン式液体移動装置。
【請求項３】
連結することによって密閉した空間を形成する、前記圧力タンク内で膨張収縮する風船、復元力の強いばねを内部に設けた液体の移動を開始するための開始用蛇腹容器、前記風船と前記開始用蛇腹容器を連結する管、前記圧力タンクに連結する、より復元力の小さな停止用圧力タンクを備え、前記開始用蛇腹容器を足で踏み縮めて前記風船を膨張させることによって、前記圧力タンク内の空気を、前記吐出用逆止弁を通過して前記吐出管から排出し、前記開始用蛇腹容器を踏む力を弱めた後に前記開始用蛇腹容器内部のばねの復元力で前記開始用蛇腹容器の体積が復元するのに伴い前記風船を収縮させて前記圧力タンク内に負圧を生じさせることによって、サイフォンの原理による液体の移動を開始させ、前記停止用圧力タンクを手で押さえて前記圧力タンク内部を加圧し、負圧を解消することによって、サイフォンの原理による液体の移動を停止させ、押さえる力を弱めた後も、前記停止用圧力タンクの復元力が小さいために前記圧力タンク内部にサイフォンの原理に必要な負圧を生じず、再び液体を吸い上げることができないようにしたことを特徴とする請求項２記載のサイフォン式液体移動装置。
【請求項４】
連結することによって密閉した空間を形成する、前記圧力タンク内で膨張収縮する風船、復元力の強いばねを内部に設けた液体の移動を開始するための開始用蛇腹容器、復元力の弱いばねを内部に設けた液体の移動を停止するための停止用蛇腹容器、前記風船と前記開始用蛇腹容器を連結する管、前記開始用蛇腹容器と前記停止用蛇腹容器を連結する管を備え、前記停止用蛇腹容器を足で踏み縮めて前記風船を膨張させて前記圧力タンク内部を加圧し、負圧を解消することによって、サイフォンの原理による液体の移動を停止させ、踏む力を弱めた後も、前記停止用蛇腹容器の復元力が小さいために前記圧力タンク内部にサイフォンの原理に必要な負圧を生じず、再び液体を吸い上げることができないようにしたことを特徴とする請求項２記載のサイフォン式液体移動装置。
【請求項５】
サイフォンの原理を用いて移動元液体容器から移動先液体容器へ液体を移動させることのできるサイフォン式ポンプにおいて、風船と管で連結することによって密閉した空間を形成する停止用蛇腹容器を足で踏み縮めて、圧力タンク内において前記風船を膨張させて前記圧力タンク内部を加圧し、負圧を解消することによって、サイフォンの原理による液体の移動を停止させ、踏む力を弱めた後も、前記停止用蛇腹容器の復元力が小さいために前記圧力タンク内部にサイフォンの原理に必要な負圧を生じず、再び液体を吸い上げることができないようにしたことを特徴とするサイフォン式液体移動方法。
【請求項６】
サイフォンの原理を用いて移動元液体容器から移動先液体容器へ液体を移動させることのできるサイフォン式ポンプにおいて、風船と管で連結することによって密閉した空間を形成する開始用蛇腹容器を足で踏み縮めて、圧力タンク内において前記風船を膨張させることによって、前記圧力タンク内の空気を排出し、前記蛇腹容器を踏む力を弱めた後に前記蛇腹容器内部のばねの復元力で前記蛇腹容器の体積が復元するのに伴い前記風船を収縮させて前記圧力タンク内に負圧を生じさせることによって、液体の移動を開始できるようにしたことを特徴とするサイフォン式液体移動方法。
【請求項７】
圧力タンクに連結した停止用圧力タンクを手で押さえて前記圧力タンク内部を加圧し、負圧を解消することによって、サイフォンの原理による液体の移動を停止させ、押さえる力を弱めた後も、前記停止用圧力タンクの復元力が小さいために前記圧力タンク内部にサイフォンの原理に必要な負圧を生じず、再び液体を吸い上げることができないようにしたことを特徴とする請求項６記載のサイフォン式液体移動方法。
【請求項８】
風船及び開始用蛇腹容器と管で連結することによって密閉した空間を形成する停止用蛇腹容器を足で踏み縮めて、圧力タンク内において前記風船を膨張させて前記圧力タンク内部を加圧し、負圧を解消することによって、サイフォンの原理による液体の移動を停止させ、踏む力を弱めた後も、前記停止用蛇腹容器の復元力が小さいために前記圧力タンク内部にサイフォンの原理に必要な負圧を生じず、再び液体を吸い上げることができないようにしたことを特徴とする請求項６記載のサイフォン式液体移動方法。
【発明の詳細な説明】
【技術分野】
【０００１】
本発明は、災害発生後の被災地等において、水を入れたポリタンク等の大型液体容器を持ち上げたり傾けたりすることなく、人力のみによって中の水を無駄なく使用することができる、サイフォン式液体移動装置及びサイフォン式液体移動方法に関する。
【背景技術】
【０００２】
従来、人力で給水するための代表的な技術として、井戸で用いられている手押しポンプがあった。尚、手押しポンプは井戸ポンプ等と呼ばれることもある。
【０００３】
手押しポンプは、シリンダー内のピストンを上下に往復させることによって水を汲み上げる装置であり、ピストン中央部に開けられた穴に弁を備え、それを開閉できるようになっている。水を汲み上げる時にはピストンの穴にある弁が閉じていて、ピストンを下げる時には弁が開いてシリンダー内を下降できるようになっている。ピストンを上下に往復させるための動力源は、ポンプの上部にある手押しレバーであり、梃子の原理を用いるものが多い。
【０００４】
手押しポンプは、かつてはどこの家にもあり、庭の井戸水を汲んで生活用水を得ていたが、水道の普及や電動式ポンプの登場によって次第に使われなくなった。しかし、最近では、災害等で電気・水道等のライフラインが寸断されたときの有用性とともに、電気を使わないことによるＣＯ２削減や省エネの効果が再認識されている。
【０００５】
次に、石油ストーブで用いられている灯油ポンプは、給水するためのものではないが、負圧ポンプとサイフォン（Ｓｉｐｈｏｎ）を組み合わせたものであり、上部に設けられた圧力タンクを何回か繰り返し押さえることによって、内部に負圧を生じさせて液体を吸い上げ、一度管内を液体で満たした後は、サイフォンの原理によって液体が移動し続けるというものである。ここで、サイフォンの原理は、低い高さないし同じ高さの別の地点に、出発地点よりも高い地点を経由して、液体を移動させることができるというものである。ただし、灯油ポンプの上部に設けられた圧力タンクを繰り返し押さえ続ける限りにおいては、その都度生じる負圧によって液体を吸い上げ続けることも可能である。尚、灯油ポンプは、石油ポンプやサイフォン式ポンプ等と呼ばれることもある。
【０００６】
特許文献１（実用新案）には、現在の灯油ポンプとほぼ同一の構造を有するプラスチック製ポンプが示されている。また、ＪＩＳ規格では、規格番号：ＪＩＳ Ｓ ２０３７：２００７、標題：石油燃焼機器用注油ポンプ、規格概要：ポリエチレン缶及びドラム缶の中の灯油を、石油燃焼機器等へ移すために用いる注油ポンプについての規定とされている。
【０００７】
足踏みによって液体を吸い上げる技術としては、特許文献２に開示されたものがあるが、足踏みポンプ内に水を直接吸い込んで、それを高いところに吐き出す方法であって、灯油ポンプの場合のようにサイフォンの原理を用いるものではないため、足踏みを繰り返さなければ続けて水を吸い上げることはできない。
【先行技術文献】
【特許文献】
【０００８】
【特許文献１】実用新案出願公告昭３２−１０９５６
【特許文献２】特開２００２−１３１７８号公報
【発明の概要】
【発明が解決しようとする課題】
【０００９】
災害発生直後の被災地等において自衛隊の給水支援等を受けて、ポリタンク等の大型容器に水を入れて貰えたとしても、中の水を使用する際に、その都度水を充満した大型容器を持ち上げるのは大変である。また、世帯毎等の小グループに水を配分する場合にも、水を充満した大型容器を持ち上げる必要が生じる。これは、かなりの重労働であるし、特に高齢者や小さな子供にとっては極めて困難な作業である。
【００１０】
更に、大型容器を傾ける際にたくさんの水が無駄に流される場合がある。水は、人に限らず生物が生きるうえで最も重要な資源であり、水無しで生きることは絶対に不可能である。したがって、災害発生後の給水は被災者の生死を左右するので、一滴の水も無駄にはできない。近い将来必ず発生する大規模災害において、一人ひとりの被災者の口に水を確実に供給できるように備えておくことは、高齢化が進行する我が国において災害対策上の喫緊の課題といえる。
【００１１】
そこで、従来技術による対策を検討するに、まず、手押しポンプのような大掛かりな装置を被災地において使用することは現実的ではない。また、高齢者や小さな子供でも楽に給水できるようにするためには、手押しポンプを足で操作する方法が考えられる。しかし、手押しレバーを相当に長くしなければならないため、広い操作スペースが必要となるし、操作は極めて困難である。また、シリンダー内にピストンを有するという構造上、吸上管は真っ直ぐで、尚且つ、ある程度の太さを有するものとせざるを得ない。
【００１２】
次に、灯油ポンプを用いて、ポリタンク等の大型容器から小型容器に水を移動させることが考えられるが、サイフォンの原理は、移動元の液体と移動先の液体を連結する管を液体で満たす必要があるため、灯油ポンプの吐出管の出口を開放した状態では、サイフォンの原理は働かない。このため、水道の蛇口のように液体を空間に吐出し続けることはできない。
【００１３】
確かに、電動式ポンプを用いれば、低い位置にある元の容器から高い位置にある別の容器に吸い上げることだけでなく、液体を空間に吐出し続けることも可能であるが、被災地等の極限状況において電源を確保できる保証はない。また、モーター等の電子機器を用いる場合、雨水や泥等の浸入による故障の虞もある。更に、省エネやエコロジーの観点からも、電気エネルギーを用いる方法は可能な限り避けることが望ましい。そこで、故障し難い単純な構造であって、尚且つ、人力で操作できる装置が必要となる。
【００１４】
また、被災地のような劣悪な環境においては、疫病の発生を予防する等の衛生管理上の観点から、手洗いが極めて重要である。また、キャンプ等においても食中毒の予防等のためには、調理や食事前の手洗いが欠かせない。特に気温の高い地域や季節においてはこれが重要である。しかしながら、ポリタンクやペットボトル等の容器に入れた水を手にかけて手洗いをする従来の形態の場合、容器が清潔であれば良いが、一般的には泥等で汚れている場合が多く、また、使い回しをする等、不衛生な環境で使用されている場合が多いので、容器を保持した方の手は十分に洗うことができない。また、石鹸で汚れを落とすには、これを泡立てることが望ましいが、片手では十分に石鹸を泡立てることができない。更に、片手ずつ洗う場合には、こぼれる水量も多く無駄である。
【００１５】
この点、足踏みによって水を吐出できるようになれば、両手同時の手洗いだけでなく、石鹸も十分に泡立てることができるようになり、衛生管理の面からも望ましい。更に、こぼれる水量が少なくなるので、節水にもつながる。被災地等の給水が乏しい状況では、これは特に重要な効果である。
【００１６】
本発明はかかる従来技術の問題点を解決して、被災地の劣悪な環境等において前記のような様々なニーズに対応するために、電気エネルギーを用いないで、サイフォンの原理によって継続的に液体を移動し続けることができるサイフォン式液体移動装置及びサイフォン式液体移動方法を提供することを課題とするものである。
【課題を解決するための手段】
【００１７】
上記課題を解決するために、まず、水道の蛇口と同様に液体を空間に吐出する手段を提供する。この点、従来の灯油ポンプは、ポリタンク等の移動元液体容器から石油ストーブ等の移動先液体容器に液体を移動させるためのものであり、液体を空間に吐出する構造ではないため、圧力タンクを手で押さえる度に吐出することはできるが、サイフォンの原理による継続的な吐出ができないという問題がある。
【００１８】
そこで、参考例１に示すサイフォン式液体吐出装置は、移動元液体容器から液体を吸い上げるための吸上管、吸い上げた液体を移動先液体容器に吐出するための吐出管、前記吸上管の出口に設ける吸上用逆止弁、前記吐出管の入口に設ける吐出用逆止弁、前記吸上管の出口と前記吐出管の入口を接続する圧力タンクからなる、サイフォンの原理を用いて移動元液体容器から移動先液体容器へ液体を移動させることのできるサイフォン式ポンプにおいて、前記吐出管の出口に、前記移動先液体容器として上部を開放した小型液体容器を備え、サイフォンの原理による液体の移動を可能とし、前記小型液体容器から溢れた液体を下方に流すことによって水道の蛇口と同様に液体を空間に吐出できるようにしたことを特徴とする。
【００１９】
尚、前記小型液体容器は、吐出管と一体的に成型することができ、あるいは、吐出管から独立した部品として成型した後に吐出管に連結できるようにして取換え可能とすることもできる。
【００２０】
前記小型液体容器は様々な形状を採用することができるが、底面を流線型にすることによって、円滑な流水が可能になる。
【００２１】
これによって、サイフォンの原理を利用するものの、水道の蛇口と同様に液体を空間に吐出できるようになる。そして、ポリタンク等の重い大型容器を持ち上げたり傾けたりすることなく、両手を同時に洗うことができるようになる。
【００２２】
しかし、前記小型液体容器の上部を開放する場合、被災地等の劣悪な環境においてはゴミ等が混入する虞がある。
【００２３】
そこで、参考例２に示すサイフォン式液体吐出装置は、移動元液体容器から液体を吸い上げるための吸上管、吸い上げた液体を移動先液体容器に吐出するための吐出管、前記吸上管の出口に設ける吸上用逆止弁、前記吐出管の入口に設ける吐出用逆止弁、前記吸上管の出口と前記吐出管の入口を接続する圧力タンクからなる、サイフォンの原理を用いて移動元液体容器から移動先液体容器へ液体を移動させることのできるサイフォン式ポンプにおいて、前記吐出管の出口に、底に穴が開いた小型液体容器を備え、前記穴の通液抵抗によって安定したサイフォンの原理による液体の移動を可能とし、前記穴を通過した液体を下方に流すことによって水道の蛇口と同様に液体を空間に吐出できるようにしたことを特徴とする。
【００２４】
尚、前記小型液体容器は、吐出管と一体的に成型することができ、あるいは、吐出管から独立した部品として成型した後に吐出管に連結できるようにして取換え可能とすることもできる。前者の場合において、前記小型液体容器を吐出管の一部分の形状として表現すれば、「前記吐出管は、その内径が出口の直前部において大きくなり、出口において再び小さくなるような形状を有する。」というようになる。更に、底に複数の穴を開ける場合には、前記表現に加えて、「出口は複数の穴を有する壁で閉塞されている。」というようになる。
【００２５】
これによって、前記小型液体容器へのゴミ等の混入を防ぐことができる。また、前記小型液体容器に生じる水溜りが、吐出している間は容器内部を減圧するように作用し、吐出管の出口を持ち上げて停止させるとき等は、容器内部への空気の侵入を防ぐように作用するので、サイフォンの原理による液体の移動を安定的に行うことができる。
【００２６】
また、前記小型液体容器の底に開ける穴を複数にすることによって、シャワー状に吐出することもできる。
【００２７】
次に、従来の灯油ポンプは、圧力タンク上部の栓を手で開いて内部の負圧を解消することによって液体の移動を停止させていたが、操作性が低いだけでなく、頻繁に栓を開閉する場合、栓部に隙間が生じる等する虞があるため、栓の開閉は給水装置としてはあまり適さないという問題がある。
【００２８】
そこで、参考例３に示すサイフォン式液体吐出装置は、参考例１又は参考例２に示したサイフォン式液体吐出装置において、圧力タンクに連結する、より復元力の小さな停止用圧力タンクを備え、前記圧力タンクを手で押さえることによって液体の吐出を開始させ、前記停止用圧力タンクを手で押さえて前記圧力タンク内部を加圧し、負圧を解消することによって、サイフォンの原理による液体の吐出を停止させ、押さえる力を弱めた後も、前記停止用圧力タンクの復元力が小さいために前記圧力タンク内部にサイフォンの原理に必要な負圧を生じず、再び液体を吸い上げることができないようにしたことを特徴とする。
【００２９】
これによって、栓の開閉によらずに、開始と同様の操作によって停止することができるので、操作が容易になるとともに空気漏れ等の故障を防ぐことができる。
【００３０】
次に、被災地等の劣悪な環境においては装置自体が汚れるので、洗浄した後の手で停止させる方法は衛生管理上の問題がある。
【００３１】
このため、負圧ポンプとサイフォンを組み合わせた灯油ポンプにおいて、従来は上部に設けられたポンプを手で押すことによって負圧を生じさせていたものを、ビニールプール等で使用する足踏みポンプを用いることによって負圧を生じさせるようにする。
【００３２】
この際、足踏みポンプを灯油ポンプに単純に連結したのでは、足踏みの最初の段階で一時的に負圧を生じさせることは可能であるが、足踏みポンプは、灯油ポンプよりも低い位置に設置されるため、すぐに水が足踏みポンプの側に流れ込んでしまう。従来の灯油ポンプは、その原理上、負圧はポンプの最上部に生じさせる必要があった。尚、サイフォンの原理による液体の移動を停止させる場合に、最上部の栓を解放して負圧を解消するようになっているのもこのためである。
【００３３】
そこで、この足踏みポンプへの液体の流入を防ぐためには、負圧をかける空間と液体が移動する空間を分離しつつも、負圧を液体に作用させる必要がある。
【００３４】
本発明では、従来の灯油ポンプの負圧を生じさせていた圧力タンク内において、風船を膨張収縮させることによって負圧を生じさせる。そして、この風船への空気の給排気を足踏みポンプで行うようにする。このようにすることによって、従来のように灯油ポンプを手で繰り返し押さえることなく、足踏みポンプで膨張収縮させる風船によって、風船が膨張した瞬間に圧力タンク内の空気の一部を外に押し出した後に、風船が収縮した瞬間すなわち圧力タンク内の容積が膨張する瞬間に圧力タンク内に負圧を生じさせることができる。
【００３５】
そこで、参考例４に示すサイフォン式液体吐出装置は、参考例１又は参考例２に示したサイフォン式液体吐出装置において、連結することによって密閉した空間を形成する、前記圧力タンク内で膨張収縮する風船、復元力の弱いばねを内部に設けた液体の吐出を停止させるための停止用蛇腹容器、前記風船と前記停止用蛇腹容器を連結する管を備え、前記停止用蛇腹容器を足で踏み縮めて前記風船を膨張させて前記圧力タンク内部を加圧し、負圧を解消することによって、サイフォンの原理による液体の吐出を停止させ、踏む力を弱めた後も、前記停止用蛇腹容器の復元力が小さいために前記圧力タンク内部にサイフォンの原理に必要な負圧を生じず、再び液体を吸い上げることができないようにしたことを特徴とする。
【００３６】
これによって、手を使わずに、液体の吐出を停止できるようになる。
【００３７】
更に、衛生管理上の理由だけでなく、災害等で手を負傷して操作が困難な場合も想定されるので、液体の吐出を足で開始するための手段が必要である。
【００３８】
そこで、参考例５に示すサイフォン式液体吐出装置は、参考例１又は参考例２に示したサイフォン式液体吐出装置において、連結することによって密閉した空間を形成する、前記圧力タンク内で膨張収縮する風船、復元力の強いばねを内部に設けた液体の吐出を開始させるための開始用蛇腹容器、前記風船と前記開始用蛇腹容器を連結する管を備え、前記開始用蛇腹容器を足で踏み縮めて前記風船を膨張させることによって、前記圧力タンク内の空気を、前記吐出用逆止弁を通過して前記吐出管から排出し、前記開始用蛇腹容器を踏む力を弱めた後に前記開始用蛇腹容器内部のばねの復元力で前記開始用蛇腹容器の体積が復元するのに伴い前記風船を収縮させて前記圧力タンク内に負圧を生じさせることによって、サイフォンの原理による液体の吐出を開始できるようにしたことを特徴とする。
【００３９】
この蛇腹容器と風船を管で連結する仕組みは、外部から空気を取り込む足踏みポンプとは異なり、蛇腹容器と圧力タンク内の風船との間で空気を往復させるものであるので、産業革命の原動力になった蒸気機関のピストンに近い発想である。蒸気機関は蒸気の圧力（内部エネルギー）を力学的エネルギーに変換するのに対して、本発明は人の足踏みによる力学的エネルギーを一旦圧力（内部エネルギー）に変換してから力学的エネルギーに再度変換するものである。換言すれば、閉空間内部の圧力（内部エネルギー）の変化によって力学的エネルギーを伝達するものである。
【００４０】
これによって、手を使わずに、サイフォンの原理による液体の吐出を開始できるようになる。
【００４１】
次に、参考例３に示すサイフォン式液体吐出装置と同様に、従来の灯油ポンプは、圧力タンク上部の栓を手で開いて内部の負圧を解消することによって液体の移動を停止させていたが、操作性が低いだけでなく、頻繁に栓を開閉する場合、栓部に隙間が生じる等する虞があるため、栓の開閉は給水装置としてはあまり適さないという問題がある。
【００４２】
そこで、参考例６に示すサイフォン式液体吐出装置は、参考例１又は参考例２に示したサイフォン式液体吐出装置において、連結することによって密閉した空間を形成する、前記圧力タンク内で膨張収縮する風船、復元力の強いばねを内部に設けた液体の吐出を開始させるための開始用蛇腹容器、前記風船と前記開始用蛇腹容器を連結する管、前記圧力タンクに連結する、より復元力の小さな停止用圧力タンクを備え、前記開始用蛇腹容器を足で踏み縮めて前記風船を膨張させることによって、前記圧力タンク内の空気を、前記吐出用逆止弁を通過して前記吐出管から排出し、前記開始用蛇腹容器を踏む力を弱めた後に前記開始用蛇腹容器内部のばねの復元力で前記開始用蛇腹容器の体積が復元するのに伴い前記風船を収縮させて前記圧力タンク内に負圧を生じさせることによって、サイフォンの原理による液体の吐出を開始させ、前記停止用圧力タンクを手で押さえて前記圧力タンク内部を加圧し、負圧を解消することによって、サイフォンの原理による液体の吐出を停止させ、押さえる力を弱めた後も、前記停止用圧力タンクの復元力が小さいために前記圧力タンク内部にサイフォンの原理に必要な負圧を生じず、再び液体を吸い上げることができないようにしたことを特徴とする。
【００４３】
これによって、手を使わずに、サイフォンの原理による液体の吐出を開始できるだけでなく、栓の開閉によらずに停止することができるので、操作が容易になる。
【００４４】
次に、参考例４に示すサイフォン式液体吐出装置と同様に、被災地等の劣悪な環境においては装置自体が汚れるので、洗浄した後の手で停止させる方法は衛生管理上の問題がある。
【００４５】
そこで、参考例７に示すサイフォン式液体吐出装置は、参考例１又は参考例２に示したサイフォン式液体吐出装置において、連結することによって密閉した空間を形成する、前記圧力タンク内で膨張収縮する風船、復元力の強いばねを内部に設けた液体の吐出を開始させるための開始用蛇腹容器、復元力の弱いばねを内部に設けた液体の吐出を停止させるための停止用蛇腹容器、前記風船と前記開始用蛇腹容器を連結する管、前記開始用蛇腹容器と前記停止用蛇腹容器を連結する管を備え、前記開始用蛇腹容器を足で踏み縮めて前記風船を膨張させることによって、前記圧力タンク内の空気を、前記吐出用逆止弁を通過して前記吐出管から排出し、前記開始用蛇腹容器を踏む力を弱めた後に前記開始用蛇腹容器内部のばねの復元力で前記開始用蛇腹容器の体積が復元するのに伴い前記風船を収縮させて前記圧力タンク内に負圧を生じさせることによって、サイフォンの原理による液体の吐出を開始させ、前記停止用蛇腹容器を足で踏み縮めて前記風船を膨張させて前記圧力タンク内部を加圧し、負圧を解消することによって、サイフォンの原理による液体の吐出を停止させ、踏む力を弱めた後も、前記停止用蛇腹容器の復元力が小さいために前記圧力タンク内部にサイフォンの原理に必要な負圧を生じず、再び液体を吸い上げることができないようにしたことを特徴とする。
【００４６】
これによって、手を使わずに、サイフォンの原理による液体の吐出を開始できるだけでなく、手を使わずに、液体の吐出を停止できるようになる。この際、開始用蛇腹容器を青色、停止用蛇腹容器を赤色というように色分けすることによって、高齢者にも分かり易いものとすることができる。
【００４７】
次に、参考例８に示すサイフォン式液体吐出方法は、参考例１に示すサイフォン式液体吐出装置が採用した方法である。
【００４８】
参考例８に示すサイフォン式液体吐出方法は、サイフォンの原理を用いて移動元液体容器から移動先液体容器へ液体を移動させることのできるサイフォン式ポンプにおいて、吐出管の出口に、前記移動先液体容器として上部を開放した小型液体容器を備え、サイフォンの原理による液体の移動を可能とし、前記小型液体容器から溢れた液体を下方に流すことによって水道の蛇口と同様に液体を空間に吐出できるようにしたことを特徴とする。
【００４９】
次に、参考例９に示すサイフォン式液体吐出方法は、参考例２に示すサイフォン式液体吐出装置が採用した方法である。
【００５０】
参考例９に示すサイフォン式液体吐出方法は、サイフォンの原理を用いて移動元液体容器から移動先液体容器へ液体を移動させることのできるサイフォン式ポンプにおいて、前記吐出管の出口に、底に穴が開いた小型液体容器を備え、前記穴の通液抵抗によって安定したサイフォンの原理による液体の移動を可能とし、前記穴を通過した液体を下方に流すことによって水道の蛇口と同様に液体を空間に吐出できるようにしたことを特徴とする。
【００５１】
次に、参考例１０に示すサイフォン式液体吐出方法は、参考例３に示すサイフォン式液体吐出装置が採用した方法である。
【００５２】
参考例１０に示すサイフォン式液体吐出方法は、参考例８又は参考例９に示したサイフォン式液体吐出方法において、圧力タンクに連結した停止用圧力タンクを手で押さえて前記圧力タンク内部を加圧し、負圧を解消することによって、サイフォンの原理による液体の移動を停止させ、押さえる力を弱めた後も、前記停止用圧力タンクの復元力が小さいために前記圧力タンク内部にサイフォンの原理に必要な負圧を生じず、再び液体を吸い上げることができないようにしたことを特徴とする。
【００５３】
次に、参考例１１に示すサイフォン式液体吐出方法は、参考例４に示すサイフォン式液体吐出装置が採用した方法である。
【００５４】
参考例１１に示すサイフォン式液体吐出方法は、参考例８又は参考例９に示したサイフォン式液体吐出方法において、風船と管で連結することによって密閉した空間を形成する停止用蛇腹容器を足で踏み縮めて、圧力タンク内において前記風船を膨張させて前記圧力タンク内部を加圧し、負圧を解消することによって、サイフォンの原理による液体の移動を停止させ、踏む力を弱めた後も、前記停止用蛇腹容器の復元力が小さいために前記圧力タンク内部にサイフォンの原理に必要な負圧を生じず、再び液体を吸い上げることができないようにしたことを特徴とする。
【００５５】
次に、参考例１２に示すサイフォン式液体吐出方法は、参考例５に示すサイフォン式液体吐出装置が採用した方法である。
【００５６】
参考例１２に示すサイフォン式液体吐出方法は、参考例８又は参考例９に示したサイフォン式液体吐出方法において、風船と管で連結することによって密閉した空間を形成する開始用蛇腹容器を足で踏み縮めて、圧力タンク内において前記風船を膨張させることによって、前記圧力タンク内の空気を排出し、前記蛇腹容器を踏む力を弱めた後に前記蛇腹容器内部のばねの復元力で前記蛇腹容器の体積が復元するのに伴い前記風船を収縮させて前記圧力タンク内に負圧を生じさせることによって、液体の吐出を開始できるようにしたことを特徴とする。
【００５７】
次に、参考例１３に示すサイフォン式液体吐出方法は、参考例６に示すサイフォン式液体吐出装置が採用した方法である。
【００５８】
参考例１３に示すサイフォン式液体吐出方法は、参考例１２に示すサイフォン式液体吐出方法において、圧力タンクに連結した停止用圧力タンクを手で押さえて前記圧力タンク内部を加圧し、負圧を解消することによって、サイフォンの原理による液体の移動を停止させ、押さえる力を弱めた後も、前記停止用圧力タンクの復元力が小さいために前記圧力タンク内部にサイフォンの原理に必要な負圧を生じず、再び液体を吸い上げることができないようにしたことを特徴とする。
【００５９】
次に、参考例１４に示すサイフォン式液体吐出方法は、参考例７に示すサイフォン式液体吐出装置が採用した方法である。
【００６０】
参考例１４に示すサイフォン式液体吐出方法は、参考例１２に示すサイフォン式液体吐出方法において、風船と開始用蛇腹容器と管で連結することによって密閉した空間を形成する停止用蛇腹容器を足で踏み縮めて、圧力タンク内において前記風船を膨張させて前記圧力タンク内部を加圧し、負圧を解消することによって、サイフォンの原理による液体の移動を停止させ、踏む力を弱めた後も、前記停止用蛇腹容器の復元力が小さいために前記圧力タンク内部にサイフォンの原理に必要な負圧を生じず、再び液体を吸い上げることができないようにしたことを特徴とする。
【００６１】
尚、参考例８から参考例１４のいずれかに示したサイフォン式ポンプは、参考例１又は参考例２に示した構造に限定されるものではなく、サイフォンの原理を用いて移動元液体容器から移動先液体容器へ液体を移動させることのできるポンプを広く採用することができる。
【００６２】
次に、従来の灯油ポンプは、圧力タンク上部の栓を手で開いて内部の負圧を解消することによって液体の移動を停止させていたが、操作性が低いだけでなく、頻繁に栓を開閉する場合、栓部に隙間が生じる等する虞があるため、栓の開閉は給水装置としてはあまり適さないという問題がある。
【００６３】
そこで、参考例１５に示すサイフォン式液体移動装置は、移動元液体容器から液体を吸い上げるための吸上管、吸い上げた液体を移動先液体容器に吐出するための吐出管、前記吸上管の出口に設ける吸上用逆止弁、前記吐出管の入口に設ける吐出用逆止弁、前記吸上管の出口と前記吐出管の入口を接続する圧力タンクからなる、サイフォンの原理を用いて移動元液体容器から移動先液体容器へ液体を移動させることのできるサイフォン式ポンプにおいて、前記圧力タンクに連結する、より復元力の小さな停止用圧力タンクを備え、前記圧力タンクを手で押さえて前記圧力タンク内部に負圧を生じさせることによって、サイフォンの原理による液体の移動を開始させ、前記停止用圧力タンクを手で押さえて前記圧力タンク内部を加圧し、負圧を解消することによって、サイフォンの原理による液体の移動を停止させ、押さえる力を弱めた後も、前記停止用圧力タンクの復元力が小さいために前記圧力タンク内部にサイフォンの原理に必要な負圧を生じず、再び液体を吸い上げることができないようにしたことを特徴とする。
【００６４】
これによって、手を使わずに、サイフォンの原理による液体の移動を開始できるだけでなく、栓の開閉によらずに、開始と同様の操作で停止することができるので、操作が容易になる。
【００６５】
次に、被災地等の劣悪な環境においては装置自体が汚れるので、洗浄した手で停止させる方法では、衛生管理上の問題がある。
【００６６】
そこで、請求項１記載のサイフォン式液体移動装置は、移動元液体容器から液体を吸い上げるための吸上管、吸い上げた液体を移動先液体容器に吐出するための吐出管、前記吸上管の出口に設ける吸上用逆止弁、前記吐出管の入口に設ける吐出用逆止弁、前記吸上管の出口と前記吐出管の入口を接続する圧力タンクからなる、サイフォンの原理を用いて移動元液体容器から移動先液体容器へ液体を移動させることのできるサイフォン式ポンプにおいて、連結することによって密閉した空間を形成する、前記圧力タンク内で膨張収縮する風船、復元力の弱いばねを内部に設けた液体の移動を停止するための停止用蛇腹容器、前記風船と前記停止用蛇腹容器を連結する管を備え、前記圧力タンクを手で押さえて前記圧力タンク内部に負圧を生じさせることによって、サイフォンの原理による液体の移動を開始させ、前記停止用蛇腹容器を足で踏み縮めて前記風船を膨張させて前記圧力タンク内部を加圧し、負圧を解消することによって、サイフォンの原理による液体の移動を停止させ、踏む力を弱めた後も、前記停止用蛇腹容器の復元力が小さいために前記圧力タンク内部にサイフォンの原理に必要な負圧を生じず、再び液体を吸い上げることができないようにしたことを特徴とする。
【００６７】
これによって、手を使わずに、液体の移動を停止できるようになる。
【００６８】
更に、衛生管理上の理由だけでなく、災害等で手を負傷して操作が困難な場合も想定されるので、液体の移動を足で開始するための手段が必要である。
【００６９】
そこで、請求項２記載のサイフォン式液体移動装置は、移動元液体容器から液体を吸い上げるための吸上管、吸い上げた液体を移動先液体容器に吐出するための吐出管、前記吸上管の出口に設ける吸上用逆止弁、前記吐出管の入口に設ける吐出用逆止弁、前記吸上管の出口と前記吐出管の入口を接続する圧力タンクからなる、サイフォンの原理を用いて移動元液体容器から移動先液体容器へ液体を移動させることのできるサイフォン式ポンプにおいて、連結することによって密閉した空間を形成する、前記圧力タンク内で膨張収縮する風船、復元力の強いばねを内部に設けた液体の移動を開始するための開始用蛇腹容器、前記風船と前記開始用蛇腹容器を連結する管を備え、前記開始用蛇腹容器を足で踏み縮めて前記風船を膨張させることによって、前記圧力タンク内の空気を、前記吐出用逆止弁を通過して前記吐出管から排出し、前記開始用蛇腹容器を踏む力を弱めた後に前記開始用蛇腹容器内部のばねの復元力で前記開始用蛇腹容器の体積が復元するのに伴い前記風船を収縮させて前記圧力タンク内に負圧を生じさせることによって、サイフォンの原理による液体の移動を開始できるようにしたことを特徴とする。
【００７０】
これによって、手を使わずに、サイフォンの原理による液体の吐出を開始できるようになる。
【００７１】
次に、参考例１５に示すサイフォン式液体移動装置と同様に、従来の灯油ポンプは、圧力タンク上部の栓を手で開いて内部の負圧を解消することによって液体の移動を停止させていたが、操作性が低いだけでなく、頻繁に栓を開閉する場合、栓部に隙間が生じる等する虞があるため、栓の開閉は給水装置としてはあまり適さないという問題がある。
【００７２】
そこで、請求項３記載のサイフォン式液体移動装置は、請求項２記載のサイフォン式液体移動装置において、連結することによって密閉した空間を形成する、前記圧力タンク内で膨張収縮する風船、復元力の強いばねを内部に設けた液体の移動を開始するための開始用蛇腹容器、前記風船と前記開始用蛇腹容器を連結する管、前記圧力タンクに連結する、より復元力の小さな停止用圧力タンクを備え、前記開始用蛇腹容器を足で踏み縮めて前記風船を膨張させることによって、前記圧力タンク内の空気を、前記吐出用逆止弁を通過して前記吐出管から排出し、前記開始用蛇腹容器を踏む力を弱めた後に前記開始用蛇腹容器内部のばねの復元力で前記開始用蛇腹容器の体積が復元するのに伴い前記風船を収縮させて前記圧力タンク内に負圧を生じさせることによって、サイフォンの原理による液体の移動を開始させ、前記停止用圧力タンクを手で押さえて前記圧力タンク内部を加圧し、負圧を解消することによって、サイフォンの原理による液体の移動を停止させ、押さえる力を弱めた後も、前記停止用圧力タンクの復元力が小さいために前記圧力タンク内部にサイフォンの原理に必要な負圧を生じず、再び液体を吸い上げることができないようにしたことを特徴とする。
【００７３】
これによって、手を使わずに、サイフォンの原理による液体の移動を開始できるだけでなく、栓の開閉によらずに、開始と同様の操作で停止することができるので、操作が容易になる。
【００７４】
次に、請求項１記載のサイフォン式液体移動装置と同様に、被災地等の劣悪な環境においては装置自体が汚れるので、洗浄した手で停止させる方法では、衛生管理上の問題がある。
【００７５】
そこで、請求項４記載のサイフォン式液体移動装置は、請求項２記載のサイフォン式液体移動装置において、連結することによって密閉した空間を形成する、前記圧力タンク内で膨張収縮する風船、復元力の強いばねを内部に設けた液体の移動を開始するための開始用蛇腹容器、復元力の弱いばねを内部に設けた液体の移動を停止するための停止用蛇腹容器、前記風船と前記開始用蛇腹容器を連結する管、前記開始用蛇腹容器と前記停止用蛇腹容器を連結する管を備え、前記停止用蛇腹容器を足で踏み縮めて前記風船を膨張させて前記圧力タンク内部を加圧し、負圧を解消することによって、サイフォンの原理による液体の移動を停止させ、踏む力を弱めた後も、前記停止用蛇腹容器の復元力が小さいために前記圧力タンク内部にサイフォンの原理に必要な負圧を生じず、再び液体を吸い上げることができないようにしたことを特徴とする。
【００７６】
これによって、手を使わずに、サイフォンの原理による液体の移動を開始できるだけでなく、手を使わずに、液体の移動を停止できるようになる。
【００７７】
次に、参考例１６に示すサイフォン式液体移動方法は、参考例１５に示すサイフォン式液体移動装置が採用した方法である。
【００７８】
参考例１６に示すサイフォン式液体移動方法は、サイフォンの原理を用いて移動元液体容器から移動先液体容器へ液体を移動させることのできるサイフォン式ポンプにおいて、圧力タンクに連結した停止用圧力タンクを手で押さえて前記圧力タンク内部を加圧し、負圧を解消することによって、サイフォンの原理による液体の移動を停止させ、押さえる力を弱めた後も、前記停止用圧力タンクの復元力が小さいために前記圧力タンク内部にサイフォンの原理に必要な負圧を生じず、再び液体を吸い上げることができないようにしたことを特徴とする。
【００７９】
次に、請求項５記載のサイフォン式液体移動方法は、請求項１記載のサイフォン式液体移動装置が採用した方法である。
【００８０】
請求項５記載のサイフォン式液体移動方法は、サイフォンの原理を用いて移動元液体容器から移動先液体容器へ液体を移動させることのできるサイフォン式ポンプにおいて、風船と管で連結することによって密閉した空間を形成する停止用蛇腹容器を足で踏み縮めて、圧力タンク内において前記風船を膨張させて前記圧力タンク内部を加圧し、負圧を解消することによって、サイフォンの原理による液体の移動を停止させ、踏む力を弱めた後も、前記停止用蛇腹容器の復元力が小さいために前記圧力タンク内部にサイフォンの原理に必要な負圧を生じず、再び液体を吸い上げることができないようにしたことを特徴とする。
【００８１】
次に、請求項６記載のサイフォン式液体移動方法は、請求項２記載のサイフォン式液体移動装置が採用した方法である。
【００８２】
請求項６記載のサイフォン式液体移動方法は、サイフォンの原理を用いて移動元液体容器から移動先液体容器へ液体を移動させることのできるサイフォン式ポンプにおいて、風船と管で連結することによって密閉した空間を形成する開始用蛇腹容器を足で踏み縮めて、圧力タンク内において前記風船を膨張させることによって、前記圧力タンク内の空気を排出し、前記蛇腹容器を踏む力を弱めた後に前記蛇腹容器内部のばねの復元力で前記蛇腹容器の体積が復元するのに伴い前記風船を収縮させて前記圧力タンク内に負圧を生じさせることによって、液体の移動を開始できるようにしたことを特徴とする。
【００８３】
次に、請求項７記載のサイフォン式液体吐出方法は、請求項３記載のサイフォン式液体移動装置が採用した方法である。
【００８４】
請求項７記載のサイフォン式液体移動方法は、請求項６記載のサイフォン式液体移動方法において、圧力タンクに連結した停止用圧力タンクを手で押さえて前記圧力タンク内部を加圧し、負圧を解消することによって、サイフォンの原理による液体の移動を停止させ、押さえる力を弱めた後も、前記停止用圧力タンクの復元力が小さいために前記圧力タンク内部にサイフォンの原理に必要な負圧を生じず、再び液体を吸い上げることができないようにしたことを特徴とする。
【００８５】
次に、請求項８記載のサイフォン式液体移動方法は、請求項４記載のサイフォン式液体移動装置が採用した方法である。
【００８６】
請求項８記載のサイフォン式液体移動方法は、請求項６記載のサイフォン式液体移動方法において、風船及び開始用蛇腹容器と管で連結することによって密閉した空間を形成する停止用蛇腹容器を足で踏み縮めて、圧力タンク内において前記風船を膨張させて前記圧力タンク内部を加圧し、負圧を解消することによって、サイフォンの原理による液体の移動を停止させ、踏む力を弱めた後も、前記停止用蛇腹容器の復元力が小さいために前記圧力タンク内部にサイフォンの原理に必要な負圧を生じず、再び液体を吸い上げることができないようにしたことを特徴とする。
【００８７】
尚、参考例１６から請求項６のいずれかに記載のサイフォン式ポンプは、参考例１５から請求項２のいずれかに記載の構造に限定されるものではなく、サイフォンの原理を用いて移動元液体容器から移動先液体容器へ液体を移動させることのできるポンプを広く採用することができる。
【００８８】
次に、参考例１から参考例７のいずれかに示したサイフォン式液体吐出装置、又は、参考例１５から請求項４のいずれかに記載のサイフォン式液体移動装置において、液体の移動を停止した後に再開するためには、手押しや足踏みによって、圧力タンク内部に再び負圧を生じさせなければならないという問題がある。
【００８９】
そこで、参考例１７に示すサイフォン式液体吐出装置又はサイフォン式液体移動装置は、参考例１から参考例７のいずれかに示したサイフォン式液体吐出装置、又は、参考例１５から請求項４のいずれかに記載のサイフォン式液体移動装置において、移動元液体容器の液面よりも高い位置に吐出管の出口部分を保持するためのフックを備え、前記吐出管の出口を前記液面よりも高い位置に持ち上げることによってサイフォンの原理による液体の移動を停止させた後に、停止させている間は、前記吐出管の出口部分を前記フックに保持し、前記吐出管の出口を前記液面よりも低い位置に再び下げることによってサイフォンの原理による液体の移動を再開できるようにしたことを特徴とする。
【００９０】
これによって、前記吐出管の出口部分をフックに保持するだけで、サイフォンの原理に必要な負圧を維持したままの状態で、液体の移動を一時的に停止して再開することができるので、水道の蛇口栓をひねるのと同等の操作によって停止して再開することができるようになる。
【００９１】
次に、参考例１８に示すサイフォン式液体移動方法又はサイフォン式液体移動方法は、参考例１７に示すサイフォン式液体移動装置又はサイフォン式液体移動装置が採用した方法である。
【００９２】
参考例１８に示すサイフォン式液体吐出方法又はサイフォン式液体移動方法は、参考例８から参考例１４のいずれかに示したサイフォン式液体吐出方法、又は、参考例１６から請求項８のいずれかに記載のサイフォン式液体移動方法において、移動元液体容器の液面よりも高い位置に吐出管の出口部分を保持するためのフックを備え、前記吐出管の出口を前記液面よりも高い位置に持ち上げることによってサイフォンの原理による液体の移動を停止させた後に、停止させている間は、前記吐出管の出口部分を前記フックに保持し、前記吐出管の出口を前記液面よりも低い位置に再び下げることによってサイフォンの原理による液体の移動を再開できるようにしたことを特徴とする。
【００９３】
次に、参考例１７に示すサイフォン式液体移動装置又はサイフォン式液体移動装置は、吐出管の出口部分を高い位置に保持しなければならず、高齢者や子供等にとって操作が困難な場合も想定される。
【００９４】
そこで、参考例１９に示すサイフォン式液体吐出装置又はサイフォン式液体移動装置は、参考例１から参考例７のいずれかに示したサイフォン式液体吐出装置、又は、参考例１５から請求項４のいずれかに記載のサイフォン式液体移動装置において、吐出管が曲げた形状を保持できるフレキシブルチューブからなり、前記吐出管の出口を移動元液体容器の液面よりも高い位置に持ち上げることによってサイフォンの原理による液体の移動を停止させた後に、停止させている間は、前記吐出管を曲げたままの形状で保持し、前記吐出管の出口を前記液面よりも低い位置に再び下げることによってサイフォンの原理による液体の移動を再開できるようにしたことを特徴とする。
【００９５】
これによって、フレキシブルチューブを曲げ伸ばしするだけで、サイフォンの原理に必要な負圧を維持したままの状態で、液体の移動を一時的に停止して再開することができるので、水道の蛇口栓をひねるよりも簡単な操作によって停止して再開することができるようになる。
【００９６】
次に、参考例２０に示すサイフォン式液体移動方法又はサイフォン式液体移動方法は、参考例１９に示すサイフォン式液体移動装置又はサイフォン式液体移動装置が採用した方法である。
【００９７】
参考例２０に示すサイフォン式液体吐出方法又はサイフォン式液体移動方法は、参考例８から参考例１４のいずれかに示したサイフォン式液体吐出方法、又は、参考例１６から請求項８のいずれかに記載のサイフォン式液体移動方法において、吐出管が曲げた形状を保持できるフレキシブルチューブからなり、前記吐出管の出口を移動元液体容器の液面よりも高い位置に持ち上げることによってサイフォンの原理による液体の移動を停止させた後に、停止させている間は、前記吐出管を曲げたままの形状で保持し、前記吐出管の出口を前記液面よりも低い位置に再び下げることによってサイフォンの原理による液体の移動を再開できるようにしたことを特徴とする。
【００９８】
次に、使用した液体を排水できるようにしなければ、足元に液体や泥が撥ねて汚れてしまう場合も想定される。
【００９９】
そこで、参考例２１に示す可搬型給水機能付き洗面台は、参考例１から参考例７のいずれかに示したサイフォン式液体吐出装置、洗面器、前記洗面器の底に設ける排水管、前記洗面器を支持する脚からなり、水を入れた容器から前記サイフォン式液体吐出装置によって水を吸い上げ、吸い上げた水を空間に吐出し、又は、サイフォンの原理によって吸い上げた水を空間に吐出し続け、前記排水管から排水できるようにしたことを特徴とする。
【０１００】
これによって、自己完結型の簡易水道施設を構成できるので、被災地等の劣悪な状況において、日常に近い生活環境を演出することができ、被災者のストレスを軽減することができる。
【０１０１】
最後に、各請求項記載の発明の体系表を示す。
【０１０２】
【表１】
0004763860.tif 000002
【発明の効果】
【０１０３】
本発明は簡単な構造であるので故障する虞は殆ど無く、被災地においても確実に機能する。また、電源等の動力源が不要であるのでエネルギー供給が途絶えた被災地においていつでも使用できる。そして、人力の吸上ポンプであるにも関わらず操作が簡単であるので、高齢者や小さな子供でも使用することができる。更に、両手を同時に洗い流すことができ、両手を使った洗顔・洗髪も可能であるので、衛生管理上も大きな効果がある。
【０１０４】
他方、地球温暖化に代表される環境問題やエネルギー問題が、ますます顕在化・深刻化している現代社会において、環境に優しい「グリーン技術」の重要性は益々増大しており、これに関する研究開発の一層の促進が求められている。そして、水の供給技術においても電力を消費しない省エネ技術が求められている。本発明は、人力で液体を移動及び吐出させることのできる、電気エネルギーを使用しない技術である。また、液体容器を持ち上げたり傾けたりしなくても良いので、無駄にこぼすことが少ない。よって、本発明は、節電節水等の省エネ効果を有する「グリーン技術」である。
【０１０５】
本発明は、百円前後で購入できる灯油ポンプ、足踏みポンプ、風船等、安価な材料を用いて製造することができる。
【０１０６】
本発明は、従来の灯油ポンプと同様に給油目的にも使用することができ、手を使わずに、足踏みによって給油を開始又は停止できるので、手の不自由な方にとって非常に有用である。
【０１０７】
また、病院や調理場等の厳しい衛生管理が求められる場所においても、電気エネルギーを用いずに、汚れた部分に手を触れることなく両手を洗浄することができる。
【０１０８】
そして、液体容器に消毒液を入れて使用することもできる。特に、インフルエンザが流行したときには、ウィルスが付着したドアノブやエレベーターのボタン等に触れることによって感染する場合が多いので、いつでも、どこでも、安価に設置できる消毒設備が感染予防に威力を発揮する。本発明は、電気モーター等を使用しないので非常に安価に製造することができ、いつでも、どこでも設置することができる。
【０１０９】
更に、断水に備えて浴槽に水を溜めている家庭においては、本発明を用いて浴槽から水を吸い上げることによって応急水道設備として活用できる。
【０１１０】
本発明は、被災地等の他にも、発展途上国等の水道の整備が遅れている地域や中東諸国等の水資源が乏しい地域において非常に有用である。水不足や感染症に苦しむ多くの人々、特に子供達を救済するために役立てることができるので、我が国の国際貢献につながる技術である。
【図面の簡単な説明】
【０１１１】
【図１】図１はサイフォン式液体吐出装置の断面図（上部を開放した場合）である。
【図２】図２はサイフォンの原理による液体の吐出状態を示す説明図（上部を開放した場合）である。
【図３】図３はサイフォン式液体吐出装置の断面図（底に穴を開けた場合）である。
【図４】図４はサイフォンの原理による液体の吐出状態を示す説明図（底に穴を開けた場合）である。
【図５】図５は吐出管を保持するためのフックを備える場合の停止状態を示す説明図である。
【図６】図６は形状を保持できるフレキシブルチューブからなる吐出管の場合の停止状態を示す説明図である。
【図７】図７はサイフォンの原理による液体の移動状態を示す説明図である。
【図８】図８は停止用圧力タンクを手で押さえた時の状態を示す説明図である。
【図９】図９はサイフォンの原理による液体の移動を停止した状態を示す説明図である。
【図１０】図１０は足踏みによって開始及び停止が可能なサイフォン式液体吐出装置の断面図である。
【図１１】図１１は足踏みによって開始及び停止が可能なサイフォン式液体移動装置の断面図である。
【図１２】図１２は最初に開始用蛇腹容器を踏み縮めた時の状態を示す説明図である。
【図１３】図１３はサイフォンの原理による液体の移動状態を示す説明図（蛇腹容器を用いる場合）である。
【図１４】図１４は停止用蛇腹容器を踏み縮めた時の状態を示す説明図である。
【図１５】図１５はサイフォンの原理による液体の移動を停止した状態を示す説明図（蛇腹容器を用いる場合）である。
【図１６】図１６は足踏みによって液体を吐出している状態を示す説明図である。
【図１７】図１７は支柱に固定した状態の一例を示す説明図である。
【図１８】図１８は可搬型給水機能付き洗面台の一例を示す説明図である。
【発明を実施するための形態】
【０１１２】
以下に、本発明の最良の実施の形態に係るサイフォン式液体吐出装置及びサイフォン式液体吐出方法、サイフォン式液体移動装置及びサイフォン式液体移動方法、そして、可搬型給水機能付き洗面台について説明する。尚、本発明のサイフォン式液体吐出装置及びサイフォン式液体移動装置は、一般家庭において、冬場に灯油缶やポリタンクから石油ストーブに灯油を移しかえるために使用されている灯油ポンプや、夏場にビニールプールの空気入れに使用されている足踏みポンプ等を用いて構成することができる。
【実施例】
【０１１３】
図１は、参考例１に示したサイフォン式液体吐出装置の参考実施例であり、灯油ポンプの吐出管２の出口に、上部を開放した小型液体容器６を固定した。この際、小型液体容器６の上部から液体が溢れ出ることができるように固定した。尚、図１では、小型液体容器６を上部から見たときの水平断面図も併せて示している。
【０１１４】
サイフォンの原理による液体の移動を行うためには、移動元液体容器の液面が移動先液体容器の液面よりも高い位置にある必要がある。そこで、前記小型液体容器６が吸上管１の入口よりも低い位置になるようにした。
【０１１５】
図２は、図１に示したサイフォン式液体吐出装置を用いて、移動元液体容器（ポリタンク等）８から水を吸い上げて、前記小型液体容器６から吐出している状態を示す説明図である。
【０１１６】
溢れ出た液体を下方に流すため、滑らかな流れを形成できない虞があったが、前記小型液体容器６の底を流線型にしたことによって滑らかな流れを実現することができた。
【０１１７】
これによって、サイフォンの原理による液体の移動が一旦始まった後は、移動元液体容器が空になるまで継続的に液体を空間に吐出し続けることができるようになり、水道の蛇口による場合と同様に、両手を同時に洗うことができた。
【０１１８】
図３は、参考例２に示したサイフォン式液体吐出装置の参考実施例であり、灯油ポンプの吐出管２の出口に、底に穴を開けた小型液体容器９の口を隙間なく連結した。尚、図３では、前記小型液体容器９を上部から見たときの水平断面図も併せて示している。
【０１１９】
小型液体容器９の底に開ける穴を複数にした場合には、シャワー状に吐出することができたが、手洗いに用いる場合には、穴は一つでも良い。被災地等では、手洗いだけでなく洗髪に用いる場合も想定されるので、用途に合わせて取り換え可能なように、吐出管２と小型液体容器９の連結はねじ込み式にした。
【０１２０】
前記穴の通液抵抗によって前記小型液体容器９に水溜りを形成して、サイフォンの原理による液体の移動を開始させるために、前記穴の直径を吐出管の内径よりも小さくした。
【０１２１】
図４は、図３に示したサイフォン式液体吐出装置を用いて、移動元液体容器（ポリタンク等）８から水を吸い上げて、前記小型液体容器９から吐出している状態を示す説明図である。
【０１２２】
前記穴の通液抵抗によって前記小型液体容器９の内部に水溜りを形成して、サイフォンの原理による液体の移動及び空間への吐出を安定的に行うことができた。
【０１２３】
次に、従来の灯油ポンプは、栓７を解放することによって完全に停止させることができるが、再開するには再び圧力タンク５を手で押さえなければならない。そこで、液体の吐出を一時的に停止して再開できるようにするために、移動元液体容器の液面と移動先液体容器の液面が同じ高さになった時に停止するというサイフォンの原理を利用して、吐出管２の出口、すなわち、小型液体容器６又は小型液体容器９を持ち上げて停止できるようにした。
【０１２４】
図５は、参考例１７に示したサイフォン式液体吐出装置の参考実施例であり、前記サイフォン式液体吐出装置にフック１０を取り付け、吐出管２を保持できるようにした場合において、吐出を一時的に停止した状態を示す説明図である。尚、図５では、前記フック１０を上部から見たときの水平断面図も併せて示している。
【０１２５】
吐出管２の出口をフック１０から外して再び下げることによって、吐出管２の出口がポリタンク８の液面よりも低くなり、その結果、サイフォンの原理による液体の移動を簡単に再開させることができた。
【０１２６】
図６は、参考例１９に示したサイフォン式液体吐出装置の参考実施例であり、前記サイフォン式液体吐出装置の吐出管を、曲げた形状を保持できるフレキシブルチューブ１１にした場合において、吐出を一時的に停止した状態を示す説明図である。
【０１２７】
吐出管の出口をポリタンク８の液面よりも高い位置に持ち上げた後も、フレキシブルチューブ１１によって曲げた形状を保持することができ、再びフレキシブルチューブ１１を伸ばして吐出管の出口の高さをポリタンク８の液面よりも低くすることによって、サイフォンの原理による液体の移動及び空間への吐出を簡単に再開することができた。このときの操作は、フレキシブルチューブ１１を曲げ伸ばしするだけであり、高齢者や小さな子供でも簡単に使用することができる。尚、栓７は、完全に停止させるときのためである。
【０１２８】
この方法は、水道の蛇口栓をひねるよりも簡単であるので一般の水道に応用することもできる。例えば、水道の蛇口の前に水位を一定に保つことのできる貯水槽を設け、その貯水槽を移動元液体容器（ポリタンク等）８として本発明装置を使用すれば、蛇口栓をひねらずにフレキシブルチューブを上下に曲げ伸ばしするだけで、吐水を停止再開できるようになる。
【０１２９】
次に、図７は、参考例１５に示したサイフォン式液体移動装置の参考実施例であり、圧力タンク５の上に、より復元力の小さな停止用圧力タンク１２を連結した。
【０１３０】
図７に示すようにサイフォンの原理によって液体が移動している状態において、図８に示すように停止用圧力タンク１２を手で押さえて圧力タンク５の内部を加圧し、負圧を解消することによって、サイフォンの原理による液体の移動を停止させることができた。そして、押さえる力を弱めた後も、停止用圧力タンク１２の復元力が小さいために圧力タンク内部に十分な負圧が得られず、その結果、図９に示すように液体の移動を完全に停止させることができた。
【０１３１】
この停止方法は、表１に示したように、参考例１５だけでなく、参考例３、参考例６、参考例１０、参考例１３、請求項３、参考例１６、請求項７、そして参考例２１に記載の発明において採用した結果、同様の効果が得られた。
【０１３２】
図１０は、参考例７に示したサイフォン式液体吐出装置の参考実施例であり、ビニールプールの空気入れに使用されている足踏みポンプの逆止弁を全て取り除いたものを、開始用蛇腹容器１６として用いた。そして、連結管１５と停止用蛇腹容器１８を前記開始用蛇腹容器１６に連結し、前記連結管１５の他端を風船１４に連結することによって、密閉した空間を形成した。この際、全ての材料を空気漏れが生じないように注意しながら連結した。
【０１３３】
図１１は、図１０と同様の開始・停止機構を備えた、参考例１４に示すサイフォン式液体移動装置の実施例である。
【０１３４】
これによって、図１２に示すように、最初に前記開始用蛇腹容器１６を踏み込んだときに前記風船１４が膨張し、その結果、圧力タンク５の内部を加圧して吐出用逆止弁から排気することができ、反対に、図１３に示すように、前記開始用蛇腹容器１６を踏む力を弱めたときに前記風船１４が収縮し、その結果、前記圧力タンク５の内部に負圧を生じさせ、サイフォンの原理によって良好に液体を移動ないし吐出させることができた。
【０１３５】
次に、前記停止用蛇腹容器１８の内部に設ける停止用圧縮ばね１９は、前記開始用蛇腹容器１６の内部に設ける開始用圧縮ばね１７よりも復元力の小さなばねを用いて、踏む力を弱めてもゆっくりと復元するようにした。
【０１３６】
これによって、図１４に示すように、前記停止用蛇腹容器１８を踏み込んだときに前記風船１５が膨張し、その結果、前記圧力タンク５の内部を加圧して負圧を解消してサイフォンの原理による液体の移動を停止させることができ、反対に、図１５に示すように、前記停止用蛇腹容器１８を踏む力を弱めても、その復元力が小さいために、前記圧力タンク５の内部にサイフォンの原理に必要な負圧を生じず、液体の移動を完全に停止させることができた。
【０１３７】
尚、足踏みによるサイフォン式液体吐出装置は、図１６に示すように、開始用蛇腹容器１６を繰り返し踏み続ける限りにおいて、移動元液体容器（ポリタンク等）８が空になるまで液体を吸い上げ吐出させることができた。この場合は、サイフォンの原理を用いるものではないため、移動元液体容器の液面よりも吐出管２の出口が低い高さである必要はなく、高い位置から空間に吐出させることができた。尚、足踏みを止めた時に、吐出も停止するので、この使用形態においては、停止用蛇腹容器は不要である。
【０１３８】
本発明装置は、吸上管１を移動元液体容器（ポリタンク等）８の口に差し込んで立て掛けるようにして使用することができるが、図１７に示すように、地面に刺した支柱２０に固定し、あるいは、点滴台のように吊るして使用することができる。
【０１３９】
図１８は、参考例２１に示した可搬型給水機能付き洗面台の参考実施例である。災害発生後の被災地において、水を入れたポリタンクやペットボトルから水を吸い上げて吐出管２の出口である蛇口としての役割を果たす小型液体容器６から吐水できるようにした。
【０１４０】
尚、市販されている配水管２３は、分厚い洗面台に取り付けるように設計されているので、本発明の可搬型給水機能付き洗面台のように薄い洗面器２２に取り付ける場合には、締め付け部分に水漏れを防止するための管及びパッキンを追加する必要がある。
【０１４１】
これによって、被災地等の劣悪な環境においても、通常の生活環境で用いられる形態に近い簡易洗面台を提供することができるので、衛生管理だけでなく、被災者のストレス軽減にも大いに役立てることができる。
【符号の説明】
【０１４２】
１  吸上管
２  吐出管
３  吸上用逆止弁
４  吐出用逆止弁
５  圧力タンク
６  上部を開放した小型液体容器
７  栓
８  移動元液体容器（ポリタンク等）
９  底に穴を開けた小型液体容器
１０  フック
１１  形状を保持できるフレキシブルチューブ
１２  停止用圧力タンク
１３  移動先液体容器（ペットボトル等）
１４  風船
１５  連結管
１６  開始用蛇腹容器
１７  開始用圧縮ばね
１８  停止用蛇腹容器
１９  停止用圧縮ばね
２０  支柱
２１  強力洗濯ばさみ
２２  洗面器
２３  配水管
２４  脚
【要約】
【課題】被災地の劣悪な環境等において、ポリタンク等の大型液体容器を持ち上げたり傾けたりすることなく、電気エネルギーを用いないサイフォンの原理による継続的な液体の移動を可能にするとともに、液体の移動を、簡単に、開始及び停止できるようにする。
【解決手段】サイフォン式ポンプにおいて、連結することによって密閉した空間を形成する、圧力タンク５内で膨張収縮する風船１４、液体の移動を開始するための開始用蛇腹容器１６、液体の移動を停止するための停止用蛇腹容器１８、前記風船１４と前記開始用蛇腹容器１６を連結する管１５、前記開始用蛇腹容器１６と前記停止用蛇腹容器１８を連結する管を備え、蛇腹容器の足踏みによって、サイフォンの原理による液体の移動の開始及び停止を可能にする。
【選択図】図１１【図１】
0004763860.tif 000003
【図２】
0004763860.tif 000004
【図３】
0004763860.tif 000005
【図４】
0004763860.tif 000006
【図５】
0004763860.tif 000007
【図６】
0004763860.tif 000008
【図７】
0004763860.tif 000009
【図８】
0004763860.tif 000010
【図９】
0004763860.tif 000011
【図１０】
0004763860.tif 000012
【図１１】
0004763860.tif 000013
【図１２】
0004763860.tif 000014
【図１３】
0004763860.tif 000015
【図１４】
0004763860.tif 000016
【図１５】
0004763860.tif 000017
【図１６】
0004763860.tif 000018
【図１７】
0004763860.tif 000019
【図１８】
0004763860.tif 000020